(57)【要約】【課題】内側部材と外側部材の隙間に異物が侵入しても、内側部材を外側部材から容易に取外すことのできる内側部材と外側部材の固定構造を提供する。【解決手段】外側部材２の内部に内側部材１を挿入して固定する固定構造であって、内側部材１は、外側部材２の内部に挿入する挿入部１ａを備えたものであり、該挿入部１ａの外面又は内面に係止部１ｃが設けられていて、外側部材２は、上記内側部材１をその内部に挿入する筒状体２ａであり、該筒状体２ａの内部に上記内側部材１の挿入部２ａを挿入した状態で、内側部材１の係止部１ｃと係止する被係止部２ｃが設けられていて、内側部材１の係止部１ｃには、係止状態を解除する係止解除部１ｅが、内側部材１の係止部１ｃの背面側であって、内側部材１の内側方向に向って設けらた構成とする。【選択図】図１
2013210037.tif 000002
【特許請求の範囲】
【請求項１】
外側部材の内部に内側部材を挿入して固定する固定構造であって、
内側部材は、外側部材の内部に挿入する挿入部を備えたものであり、該挿入部の外面又は内面に係止部又は／及び被係止部が設けられていて、
外側部材は、上記内側部材をその内部に挿入する筒状体であり、該筒状体の内部に上記内側部材の挿入部を挿入した状態で、内側部材の係止部又は／及び被係止部と係止する被係止部又は／及び係止部が設けられていて、
内側部材又は外側部材の係止部又は被係止部には、係止状態を解除する係止解除部が、内側部材又は外側部材の係止部又は／及び被係止部のうち、内側に位置する係止部又は／及び被係止部の背面側であって、内側部材又は外側部材の内側方向に向って設けられていることを特徴とする内側部材と外側部材の固定構造。
【請求項２】
内側部材の一端にフランジ部が形成されており、そのフランジ部と外側部材の一端によって被挟持物を挟持することを特徴とする請求項１に記載の内側部材と外側部材の固定構造。
【請求項３】
係止部が係止爪であり、被係止部が凹部であることを特徴とする請求項１又は請求項２に記載の内側部材と外側部材の固定構造。
【請求項４】
係止部の両側が切欠かれていることを特徴とする請求項１ないし請求項３のいずれかに記載の内側部材と外側部材の固定構造。
【請求項５】
係止解除部がブリッジ状に形成されていることを特徴とする請求項１ないし請求項４のいずれかに内側部材と外側部材の固定構造。
【請求項６】
請求項１ないし請求項５のいずれかに記載の外側部材の内部に内側部材の挿入部を挿入し、内側部材の係止部又は／及び被係止部と外側部材の被係止部又は／及び係止部を係止させて内側部材と外側部材を固定し、係止解除部によって、内側部材の係止部又は／及び被係止部と外側部材の被係止部又は／及び係止部の係止状態を解除して、内側部材と外側部材を分離することを特徴とする内側部材と外側部材の固定及び固定解除方法。
【発明の詳細な説明】
【技術分野】
【０００１】
本発明は、外側部材の内部に内側部材を挿入して固定する内側部材と外側部材の固定構造に関するものである。
【背景技術】
【０００２】
従来の外流し用排水栓は、上端にフランジを備えると共に外周面に雄ネジが形成された上側部材と、内周面に雌ネジが形成された下側部材の二つの部材から構成されるものが多い（例えば特許文献１）。
【０００３】
上記のような外流し用排水栓は、下側部材の上端面を外流しの裏面に当接させた状態で上側部材を下側部材の内部に挿入すると共に、上側部材の雄ネジを下側部材の雌ネジに螺合し、上側部材のフランジ部と下側部材の上端面で外流しの底面を挟持することによって取付けられる。
【先行技術文献】
【特許文献】
【０００４】
【特許文献１】特開２００５−１３３４７３号公報
【発明の概要】
【発明が解決しようとする課題】
【０００５】
しかしながら、上記のような外流し用排水栓は、外流しを設置してから年月が経過すると、上側部材と下側部材のネジ山に砂などの細かい異物が侵入し、上側部材と下側部材の分離が困難となることが多かった。この下側部材は、排水管と接着接続されているため、外流しの移動や交換の際には、外流し用排水栓や外流しを破壊しなければならず、コストや施工面でも好ましいものではなかった。
【０００６】
本発明は上記の問題に鑑みてなされたもので、その解決しようとする課題は、相当数の年月が経過して内側部材と外側部材の隙間に異物が侵入しても、内側部材を外側部材から容易に取外すことのできる内側部材と外側部材の固定構造を提供することにある。
【課題を解決するための手段】
【０００７】
上記目的を達成するため、本発明に係る内側部材と外側部材の固定構造は、外側部材の内部に内側部材を挿入して固定する固定構造であって、内側部材は、外側部材の内部に挿入する挿入部を備えたものであり、該挿入部の外面又は内面に係止部又は／及び被係止部が設けられていて、外側部材は、上記内側部材をその内部に挿入する筒状体であり、該筒状体の内部に上記内側部材の挿入部を挿入した状態で、内側部材の係止部又は／及び被係止部と係止する被係止部又は／及び係止部が設けられていて、内側部材又は外側部材の係止部又は被係止部には、係止状態を解除する係止解除部が、内側部材又は外側部材の係止部又は／及び被係止部のうち、内側に位置する係止部又は／及び被係止部の背面側であって、内側部材又は外側部材の内側方向に向って設けられていることを特徴とするものである。
【０００８】
本発明の内側部材と外側部材の固定構造においては、内側部材の一端にフランジ部が形成されており、そのフランジ部と外側部材の一端によって被挟持物を挟持することが好ましい。また、係止部が係止爪であり、被係止部が凹部であることが好ましく、係止部の両側が切欠かれていることがより好ましい。更に、係止解除部がブリッジ状に形成されていることが好ましい。
【０００９】
次に、本発明の内側部材と外側部材の固定及び固定解除方法は、上記いずれかの外側部材の内部に内側部材の挿入部を挿入し、内側部材の係止部又は／及び被係止部と外側部材の被係止部又は／及び係止部を係止させて内側部材と外側部材を固定し、係止解除部によって、内側部材の係止部又は／及び被係止部と外側部材の被係止部又は／及び係止部の係止状態を解除して、内側部材と外側部材を分離することを特徴とするものである。
【発明の効果】
【００１０】
本発明の内側部材と外側部材の固定構造は、内側部材の挿入部と外側部材の筒状体に、それぞれ互いに係止する係止部又は／及び被係止部が設けられているので、内側部材を外側部材の内部に挿入し、該係止部又は／及び被係止部同士を係止させるだけで、簡単に内側部材と外側部材を固定することができる。
一方、内側部材と外側部材を分離する際には、内側部材又は外側部材の係止部又は／及び被係止部のうち、内側に位置する係止部又は／及び被係止部の背面側であって、内側部材又は外側部材の内側方向に向って設けられた係止解除部によって、簡単に係止部又は／及び被係止部の係止状態を解除して内側部材と外側部材を分離することができる。
従って、従来のような雄ネジ・雌ネジによる固定構造ではないため、相当数の年月が経過して内側部材と外側部材の隙間に異物が侵入したとしても、内側部材や外側部材を破壊することなく、内側部材と外側部材を容易に分離することができるので、コスト面でも施工面でも好ましい。
【００１１】
また、内側部材の一端にフランジ部が形成されており、そのフランジ部と外側部材の一端によって被挟持物を挟持する内側部材と外側部材の固定構造は、流しの排水栓などに好適に利用される固定構造である。
【００１２】
更に、係止部が係止爪であり、被係止部が凹部であると、係止部と被係止部を簡単且つ確実に係止させることができる。
【００１３】
特に、係止部の両側が切欠かれていると、係止部と被係止部を係止させたり、その係止状態を解除して分離する際に、係止部が撓み易くなるので、作業性がより向上する。
【００１４】
更に、係止解除部がブリッジ状に形成されていると、内側部材或いは外側部材の内部に手を挿入した際、係止解除部を手で掴み易く、また、係止部に力が作用し易くなるので、内側部材と外側部材の分離作業がより容易となる。
【００１５】
次に、本発明の内側部材と外側部材の固定及び固定解除方法は、上記のような固定構造に使用される内側部材と外側部材を用いるので、内側部材と外側部材を容易に固定でき、また、容易に分離することもできるものである。
【図面の簡単な説明】
【００１６】
【図１】本発明の一実施形態に係る内側部材と外側部材の固定構造を示す断面図である。
【図２】同固定構造に用いる内側部材を示すものであって、（ａ）は平面図、（ｂ）は側面図、（ｃ）はＡ−Ａ断面図である。
【図３】同固定構造に用いる外側部材を示すものであって、（ａ）は平面図、（ｂ）はＢ−Ｂ断面図である。
【図４】本発明の一実施形態に係る内側部材と外側部材の固定及び固定解除方法を説明する断面図である。
【図５】同固定及び固定解除方法を説明する断面図である。
【図６】同固定及び固定解除方法を説明する断面図である。
【図７】本発明の他の実施形態に係る内側部材と外側部材の固定構造を示す断面図である。
【図８】本発明の更に他の実施形態に係る内側部材と外側部材の固定構造を示す断面図である。
【図９】本発明の更に他の実施形態に係る内側部材と外側部材の固定構造に用いる内側部材の斜視図である。
【発明を実施するための最良の形態】
【００１７】
以下、図面を参照して本発明の具体的な実施形態を詳述する。
【００１８】
本発明の内側部材と外側部材の固定構造は、図１に示すように、外側部材２の内部に内側部材１を挿入し、内側部材１と外側部材２を固定する固定構造であって、主として外流しの排水栓等に採用される固定構造である。
【００１９】
この内側部材１は、図１に示すように、外側部材２の内部に挿入する挿入部１ａを備えたものであり、この挿入部１ａは、その外径が外側部材２の内径に略等しい円筒体となっている。図２の（ａ），（ｂ）に示すように、挿入部１ａの上端にはフランジ部１ｂが形成されると共に、挿入部１ａの外周面には係止部１ｃが設けられている。このフランジ部１ｂは、被挟持物３の排水口３ａよりも外径が大きいものであり、このフランジ部１ｂと外側部材２のフランジ部２ｂによって被挟持物３を挟持している。
【００２０】
上記挿入部１ａの外周面に設けられた係止部１ｃは、図２の（ｂ），（ｃ）に示すように、その先端（下端）に爪部１０ｃが設けられた係止爪であって、図２の（ａ）に示すように、挿入部１ａの一側面（右側面）とそれに対面する挿入部１ａのもう一側面（左側面）の計２箇所に設けられている。この係止部１ｃの爪部１０ｃは、係止部１ｃの先端から外側へ斜め上方に立ち上がる略直角三角形状をしたものであり、この爪部１０ｃが、外側部材２の被係止部２ｃに嵌まり込んで係止することによって、内側部材１と外側部材２は強固に連結固定される。また、挿入部１ａの係止部１ｃが設けられている周壁は、他の挿入部１ａの周壁よりも肉薄に形成されていると共に、係止部１ｃの両側が切欠かれて、２つの切欠部１ｄが設けられている。このように、係止部１ｃが肉薄に形成されているのに加えて、係止部１ｃの両側に切欠部１ｄを設けることにより、係止部１ｃが撓み易くなっている。
尚、係止部１ｃをより撓み易くするために、係止部１ｃだけを撓み易い別の樹脂で成形することもできる。
【００２１】
上記係止部１ｃには、図２の（ａ），（ｃ）に示すように、内側部材１の係止部１ｃと外側部材２の被係止部２ｃの係止状態を解除する係止解除部１ｅが設けられている。この係止解除部１ｅは、一方の係止部１ｃ（右側面）ともう一方の係止部１ｃ（左側面）を架橋すると共に、その架橋片と直交するように、係止部１ｃが設けられていない挿入部１ａの周壁（前側面）とそれに対面する周壁（後側面）を架橋したものである。このように、係止解除部１ｅを平面視略十字形のブリッジ状に形成すると、係止解除部１ｅの交点部分を手で掴み易くなると共に、係止解除部１ｅの交点部分を手で掴んで上方へ引っ張ると、挿入部１ａの周壁全体に内側方向へと引っ張られる力が作用するので、係止部１ｃが内側に撓み易くなって、内側部材１の係止部１ｃと外側部材２の被係止部２ｃの係止状態を解除し易くなる。
尚、この係止解除部１ｅにツマミを設けて、より手で掴み易くなるようにしてもよい。また、係止解除部１ｅをより撓み易くするために、係止部１ｃが設けられていない側の架橋片の先端の両側を切り欠いて切欠部を設けてもよい。本実施形態のように、内側部材１が外流しの排水栓として採用される場合、係止解除部１ｅを目皿部として兼用することができるので、この場合、係止解除部１ｅは上記のような平面視略十字形が好ましい。
【００２２】
一方、外側部材２は、図１に示すように、上記内側部材１をその内部に挿入する円筒状体であって、図３の（ｂ）に示すように、該筒状体２ａの上端には、フランジ部２ｂが形成されている。この外側部材２のフランジ部２ｂは、上記内側部材１のように、フランジ部１ｂがないと被挟持物３の排水口３ａより落下することはないので必ずしも必要なものではないが、本実施形態のように、筒状体２ａの上端にフランジ部２ｂを形成することによって、内側部材１のフランジ部１ｂと外側部材２のフランジ部２ｂによって被挟持物３を安定的に挟持することができるようになる。
【００２３】
また、外側部材２の筒状体２ａの内部には、図３の（ｂ）に示すように、上記内側部材１の係止部１ｃと係止する被係止部２ｃが、対面する位置に計２箇所設けられている。この被係止部２ｃは、筒状体２ａの内周面に設けられた、上記係止部１ｃの爪部１０ｃを嵌め入れるための凹入部であって、上記内側部材１の挿入部１ａを筒状体２ａの内部に挿入し、内側部材１のフランジ部１ｂと外側部材２のフランジ部２ｂによって被挟持物３を挟持した状態で、上記係止部１ｃと係止する位置に形成する必要がある。従って、この被係止部２ｃは、内側部材１のフランジ部１ｂ下端面から係止部１ｃの爪部１０ｃ上端までの寸法より、被挟持物３の厚みを差し引いた寸法分、外側部材２のフランジ部２ｂ上端面より下方に形成されている。
【００２４】
尚、上記のような構成の内側部材１と外側部材２は、金属や合成樹脂など弾性変形可能で、且つ、復元力を有する材料（特に内側部材１）で成形されたものであれば特に材質は限定されるものではないが、本実施形態のように、内側部材１と外側部材２が外流しの排水栓として用いられる場合は、耐候性や耐食性を考慮すると合成樹脂製のものが好ましく、更に排水管４などとの接着性を考慮すれば、ポリ塩化ビニルやＡＢＳ樹脂、ＡＥＳ樹脂などで好適に成形される。
【００２５】
上記構成の内側部材１と外側部材２によって挟持される被挟持物３は、本実施形態では屋外に設置される外流しを想定しているが、内側部材１と外側部材２によって挟持されるものであればこれに限定されるものではなく、また、本発明には必ずしも必要なものでもない。
【００２６】
次に、上記構成の内側部材１と外側部材２の固定及び固定解除方法を説明する。
【００２７】
図４に示すように、上記外側部材２のフランジ部２ｂの上端面を、被挟持物３の裏面に当接させて、内側部材１の挿入部１ａを、被挟持物３の排水口３ａより外側部材２の筒状体２ａの内部に挿入していく。内側部材１の係止部１ｃの爪部１０ｃは、外側部材２の筒状体２ａの内壁面より外側へ出っ張っているので、爪部１０ｃが筒状体２ａの内壁面に当接して内側へと押し込まれることで係止部１ｃが内側へ弾性変形する。その状態で更に内側部材１を下方へと挿入すると、内側部材１のフランジ部１ｂの裏面が被挟持物３の表面に当接すると共に、係止部１ｃが、その弾性力によって元の形状に戻ることで爪部１０ｃが元の位置に戻って外側部材２の被係止部２ｃに嵌まり込むので、係止部１ｃと被係止部２ｃは確実に係止して、内側部材１と外側部材２は強固に連結固定される。内側部材１と外側部材２が連結固定されると、次いで、外側部材２の外周面に排水管４を接着接続して施工は完了する。
尚、場合によっては、先に外側部材２の外周面に排水管４を接着接続してから、内側部材１と外側部材２を連結固定してもよい。
【００２８】
一方、被挟持物３を新しいものに交換したい場合は、内側部材１と外側部材２を分離する必要が生じる。その際は、まず、内側部材１の開口から内部に手を挿入し、係止解除部１ｅの交点部分を手で掴んで上方へ引っ張る。係止解除部１ｅを上方へ引っ張ると、その先端にある係止部１ｃには内側方向に引っ張られる力が作用するので、図５に示すように、係止解除部１ｅが上方へ撓むと共に係止部１ｃは内側に撓む。係止部１ｃが内側に撓むと、爪部１０ｃが被係止部２ｃから抜け出して、係止部１ｃと被係止部２ｃの係止状態が解除されるので、そのまま内側部材１を上方へ引き上げるだけで、簡単に内側部材１と外側部材２を分離することができる。
【００２９】
以上のような構成の本発明の内側部材１と外側部材２の固定構造は、内側部材１の挿入部１ａを外側部材２の筒状体２ａ内部に挿入するだけで、係止部１ｃと被係止部２ｃが確実に係止するので、簡単に内側部材１と外側部材２を連結固定することができる。
また、内側部材１と外側部材２を分離する際には、内側部材１に設けられた係止解除部１ｅを上方へ引っ張るだけで、内側部材１の係止部１ｃが内側へと撓んで、係止部１ｃと被係止部２ｃの係止状態が解除されるので、相当数の年月が経過して内側部材１と外側部材２の隙間に異物が侵入しても、内側部材１、外側部材２や被挟持物３を破壊することなく、内側部材１と外側部材２を容易に分離することができる。
【００３０】
尚、本発明の内側部材１と外側部材２の固定構造は、前述した実施形態に限定されるものではない。
【００３１】
即ち、内側部材１と外側部材２を強固に連結固定できて、且つ、その固定を容易に解除できるのであればよいのである。例えば、図７に示すように、内側部材１の挿入部１ａの外周面に、前述した図１〜図６に示す外側部材２の被係止部２ｃと同様の被係止部１１ｃを設けて、外側部材２の筒状体２ａの内周面に、前述した図１〜図６に示す内側部材１の係止部１ｃと同様の係止部２１ｃを設けたものでもよい。また、係止部１ｃ，２１ｃや被係止部１１ｃ，２ｃを設ける箇所も、前述した図１〜図６に示す実施形態では、内側部材１の下端部と外側部材２のそれに対応する位置に設けているが、これに限定されるものではなく、内側部材１の中段部や上端部と、外側部材２のそれに対応する位置に設けてもよい。更に、図示はしないが、内側部材１の挿入部１ａの外周面に係止部１ｃと被係止部１１ｃの双方を設けて、外側部材２のそれに対応する位置に被係止部２ｃと係止部２１ｃを設けてもよいし、或いは、係止部１ｃ，２１ｃと被係止部１１ｃ，２ｃをそれぞれ一つずつ設けてもよい。
【００３２】
また、内側部材１と外側部材２の固定を解除する係止解除部１ｅも、前述した図１〜図６に示す実施形態のように、必ずしも内側部材１に設ける必要はなく、図８に示すように、外側部材２に設けることもできる。この図８に示す固定構造は、内側部材１の挿入部１ａの内周面に被係止部１１ｃを設け、外側部材２の筒状体２ａの内周面より、内側部材１の挿入部１ａの下端部を嵌入する断面形状が略凹型の溝部を突設すると共に、その溝部の先端（上端）に係止部２１ｃを２箇所設け、その係止部２１ｃと係止部２１ｃを架橋することによりブリッジ状の係止解除部２０ｅを形成したものである。
【００３３】
上記のように、外側部材２に係止解除部２０ｅを設けた場合、係止部２１ｃと被係止部１１ｃの係止状態を解除するには、前述した図１〜図６に示す実施形態とは異なり、係止解除部２０ｅを下方へ押し込むことによって係止解除部２０ｅを下方に撓ませると共に、係止部２１ｃを内側に撓ますことにより行う。
【００３４】
このように、内側部材１と外側部材２の係止状態を解除する係止解除部１ｅ，２０ｅは、内側部材１又は外側部材２の係止部１ｃ，２１ｃ又は／及び被係止部１１ｃ，２ｃのうち、内側に位置する係止部１ｃ，２１ｃ又は／及び被係止部１１ｃ，２ｃの背面側であって、内側部材１又は外側部材２の内側方向に向って設けられていれば、内側部材１と外側部材２の係止状態を容易に解除することができる。
【００３５】
また、前述した図１〜図８に示す係止解除部１ｅ，２０ｅはいずれも、内側部材１或いは外側部材２と一体的に形成されているが、係止解除部１ｅ，２０ｅを別体で形成し、後から上記のような関係で係止部１ｃ，２１ｃに取付けることもできる。
【００３６】
更に、内側部材１の挿入部１ａは、前述した図１〜図８に示す実施形態のように、必ずしも円筒体である必要はなく、図９に示すような、フランジ部１ｂの裏面より下方へ突設された垂下片１０ａであってもよい。そして、係止部１ｃが設けられたこの垂下片１０ａとそれに対面する垂下片１０ａは、係止部１ｃが設けられた垂下片１０ａを撓み易くするため、係止解除部１ｅによって完全には繋がっておらず、若干の隙間が開くように形成されている。
【００３７】
また、前述した実施形態はいずれも、上側の部材（内側部材１）と下側の部材（外側部材２）に関する固定構造であったが、本発明はこれに限定されるものではなく、例えば右側の部材（内側部材１）と左側の部材（外側部材２）においても適用可能な固定構造であることはいうまでもない。
【符号の説明】
【００３８】
１    内側部材
１ａ  挿入部
１ｂ  フランジ部
１ｃ  係止部（係止爪）
１０ｃ  爪部
１ｄ  切欠部
１ｅ  係止解除部
１１ｃ  被係止部
２    外側部材
２ａ  筒状体
２ｂ  フランジ部
２ｃ  被係止部
２１ｃ  係止部
２０e  係止解除部
３    被挟持物
３ａ  排水口
４    排水管
【図１】
2013210037.tif 000003
【図２】
2013210037.tif 000004
【図３】
2013210037.tif 000005
【図４】
2013210037.tif 000006
【図５】
2013210037.tif 000007
【図６】
2013210037.tif 000008
【図７】
2013210037.tif 000009
【図８】
2013210037.tif 000010
【図９】
2013210037.tif 000011